(57)【要約】【課題】本発明では、他の用途に利用できるペット用糞採取具を提案し、利用者の利便性を向上することを目的とする。【解決手段】商品Ａの出し入れが可能な開口部１８を有するとともに、内部に商品Ａの少なくとも１部を収容可能に形成した商品収容部材１１と、該商品収容部材１１より、ひとまわり大きく形成するとともに、上記商品収容部材１１を引き出し可能に形成した外装部材１３とを備え、上記商品収容部材１１と上記外装部材１３とのいずれか一方に糞採取用の袋体１２の一部を装着し、上記袋体１２の装着部位近傍における、上記商品収容部材１１と上記外装部材１３とが対向する各対向面１１ａ，１３ａの間に、上記袋体１２を収容可能に形成したペット用糞採取具１０。【選択図】図１
2007159407.tif 000002
【特許請求の範囲】
【請求項１】
商品の出し入れが可能な開口部を有するとともに、内部に商品の少なくとも１部を収容可能に形成した商品収容部材と、
上記商品収容部材より、ひとまわり大きく形成するとともに、該商品収容部材を引き出し可能に形成した外装部材とを備え、
上記商品収容部材と上記外装部材とのいずれか一方に糞採取用の袋体の一部を装着し、
上記袋体の装着部位近傍における、上記商品収容部材と上記外装部材とが対向する各対向面の間に、上記袋体を収容可能に形成した
ペット用糞採取具。
【請求項２】
上記商品収容部材における上記対向面を、内部へ向けてたわみ変形可能な変形可能材料により形成した
請求項１に記載のペット用糞採取具。
【請求項３】
上記商品収容部材と、上記外装部材のうち、少なくとも１方を、底部を有する箱体により形成した
請求項１又は請求項２に記載のペット用糞採取具。
【請求項４】
上記箱体の表面に、該箱体を展開可能とする切断用のミシン目を形成した
請求項３に記載のペット用糞採取具。
【請求項５】
上記商品収容部材と上記外装部材とにおける、少なくとも一方を、断面ロの字形の筒状に形成し、その４ツ角部分を変形可能な変形可能材料により形成した
請求項１から請求項４のいずれか一項に記載のペット用糞採取具。
【発明の詳細な説明】
【技術分野】
【０００１】
この発明は、主に、散歩中にペットがした糞を採取することができ、採取した後に糞ごと廃棄することのできるペット用の糞採取具に関する。
【背景技術】
【０００２】
昨今、散歩中にペットがした糞を放置しておくことは、周辺地域の美観、衛生の面で問題があるため、飼主は、ペットがした糞を、責任をもって始末することが求められている。
【０００３】
糞採取作業は、飼主にとって抵抗感があり、負担であるという問題がある。  
例えば、袋体のみを用いて糞を採取する場合、袋内に手を差し込み、袋を介した状態で糞を把持した状態で、袋を反転させれば、袋内に糞を収容することができる。しかし、この採取方法の場合、袋を介して糞を把持したときに、糞の感触が直接的に伝わるため、飼主は、強い不快感を感じてしまうことになる。
【０００４】
また、スコップなどの道具を用いて糞を採取する場合、糞の感触を感じずに採取することができる。しかし、糞採取の度に道具を洗浄しなければならず、また、糞採取後は、糞が収容された袋と、道具とを別々に持ち運ぶ必要があり、面倒であるとともに、持ち運びに不快感を感じてしまうという難点があった。
【０００５】
このような背景から様々なペット用の糞採取具が提案されている。
【０００６】
例えば、下記特許文献１において、「使い捨て糞などの採取器」が開示されている。  
【０００７】
上記「使い捨て糞などの採取器」（以下、採取器という）は、糞などを受けるシート状の受け部と、該受け部の一端に分離可能に接続されて糞などを採取するシート状の採取部と、上記受け部の他端に接続されてなる袋とから形成されている。
【０００８】
上記採取器は、糞採取に用いる場合以外においては、上記採取部と上記受け部とが一体に接続されたシート状の部材を適宜の箱形状としている。また、袋体は、上記箱形状の内部に収容されている。
【０００９】
上記採取器を、糞採取に用いる場合には、箱形状を展開し、受け部と採取部とを分離する。そして、採取部と受け部とを用いて糞を採取し、そのまま糞と一緒に、使用後の採取部、及び、受け部を袋内に採取することができる。
【００１０】
上記採取器のように、ペット用の糞採取具を使い捨て可能に形成することにより、従来のように、スコップを洗浄する必要がなくなるといった効果を得ることができる旨が下記特許文献１に開示されている。
【００１１】
しかし、特許文献１における採取器は、消耗品であるとともに、専用品であるため、利用者は、糞採取のためだけに採取器を購入などしなければならず、不便であるという問題点があった。
【００１２】
【特許文献１】実開平０１−１５５７５５号公報
【発明の開示】
【発明が解決しようとする課題】
【００１３】
そこで本発明では、他の用途に利用できるペット用糞採取具を提案し、利用者の利便性を向上することを目的とする。
【課題を解決するための手段】
【００１４】
本発明におけるペット用糞採取具は、商品の出し入れが可能な開口部を有するとともに、内部に商品の少なくとも１部を収容可能に形成した商品収容部材と、上記商品収容部材より、ひとまわり大きく形成するとともに、該商品収容部材を引き出し可能に形成した外装部材とを備え、上記商品収容部材と上記外装部材とのいずれか一方に糞採取用の袋体の一部を装着し、上記袋体の装着部位近傍における、上記商品収容部材と上記外装部材とが対向する各対向面の間に、上記袋体を収容可能に形成したことを特徴とする。
【００１５】
上記袋体は、例えば、塩化ビニールなどの合成樹脂シート、フィルム、紙などで形成することができる。
【００１６】
また、本発明におけるペット用糞採取具は、上記商品収容部材における上記対向面を、内部へ向けてたわみ変形可能な変形可能材料により形成したことを特徴とする。
【００１７】
上記変形可能材料は、例えば、厚紙、木材、ゴムシート、発泡ウレタン、合成樹脂など上記商品収容部材における上記対向面が内部へ向けて変形可能な材料であれば、特に限定しない。勿論、上記厚紙には、ダンボールも含む。
【００１８】
さらに、本発明におけるペット用糞採取具は、上記商品収容部材と、上記外装部材のうち、少なくとも１方を、底部を有する箱体により形成したことを特徴とする。
【００１９】
また、上記箱体の表面に、該箱体を展開可能とする切断用のミシン目を形成することが好ましい。
【００２０】
さらにまた、上記商品収容部材と上記外装部材とにおける、少なくとも一方を、断面ロの字形の筒状に形成し、その４ツ角部分を変形可能な変形可能材料により形成することができる。
【００２１】
上記４ツ角部分を形成する変形可能な変形可能材料は、例えば、厚紙、木材、ゴムシート、発泡ウレタン、合成樹脂など上記商品収容部材と上記外装部材とにおける、少なくとも一方の部材の４ツ角部分を変形可能な材料であれば、特に限定しない。勿論、上記厚紙には、ダンボールも含む。
【発明の効果】
【００２２】
請求項１における発明によれば、ペット用糞採取具は、内部に商品を収容することができるため、商品の包装としても用いることができる。
【００２３】
糞採取用の袋体は、商品収容部材と外装部材とが対向する各対向面の間に収容することができるため、袋体と商品とをそれぞれ区分けして収容することができる。
【００２４】
このため、商品の出し入れの際に、袋体が邪魔になることや、逆に、袋体が商品に引っ掛かり破損してしまうといった事態が生じることがない。
【００２５】
請求項２における発明によれば、ペット用糞採取具は、商品収容部材における上記対向面を内部へ向けてたわみ変形させることにより商品収容部材を袋体と一体であっても外装部材に容易に差し込んで収容することができる。
【００２６】
請求項３における発明によれば、ペット用糞採取具は、底部を有する箱形に形成することにより、収容した商品が不意に抜け出さないよう保持しておくことができ、商品の包装として必要な強度も確保することができる。
【００２７】
請求項４における発明によれば、ペット用糞採取具は、商品の包装としての形態から糞採取具としての形態へ容易に変更することができ、散歩中であってもすぐに糞採取具としての形態へ変更して用いることができる。
【００２８】
請求項５における発明によれば、ペット用糞採取具は、上記商品収容部材と上記外装部材とにおける、少なくとも一方を、容易に平面状に倒伏させることができるため、糞採取の際に、塵取り、或いは、スコップなどのように用いることができる。
【発明を実施するための最良の形態】
【００２９】
この発明の一実施形態を、以下図面を用いて説明する。  
図１は、商品Ａを収容した状態のペット用糞採取具１０の斜視図を示し、図２は、商品Ａを収容した状態のペット用糞採取具１０の中央縦断面図を示し、図３は、ペット用糞採取具１０の各構成部材を示す斜視図を示し、図４は、ペット用糞採取具１の構成部材の説明図を示す。
【００３０】
ペット用糞採取具１０は、商品Ａの少なくとも一部、すなわち、上下方向の略中間部より下側部位を差し込んで収容可能な筒状に形成するとともに、断面視長方形状に形成した商品収容部材１１と、採取後の糞を封入することができる袋体１２と、上記商品収容部材１１よりも一まわり大きく、該商品収容部材１１を引き出し可能に収容できる外装部材１３とを具備して形成している。
【００３１】
具体的に、上記商品収容部材１１は、肉厚一定の厚紙を折り曲げて断面視長方形の筒状に形成している（図４（a）参照）。この商品収容部材１１は、正面部１１ａに袋体１２が備えられ、これと反対側の背面部１１ａの左側面部１３ｄ近傍に、商品収容部材１１の糊付け片１１ｓが形成されている。  
そして、商品収容部材１１の内部には、商品収容空間２５が形成されており、商品収容空間２５内に商品Ａがぴたりと収容できる大きさに商品収容部材１１が形成されている。
【００３２】
これにより、商品収容部材１１は、自らの形態を保とうとするある程度の保形力を有し、且つ、断面視長方形状における４つの角部１４…が屈曲変形自在となる。  
これにより、上記商品収容部材１１は、図４に示すように、筒状の状態から正面部１１ａと背面部１１ｂとが略接触するまで図の矢印方向に倒伏させて仮想線に示す平面状の形態にすることができる（図４（ｂ）参照）。
【００３３】
さらに、商品収容部材１１は、その正面部１１ａ、及び、背面部１１ｂ自体が内部にたわみ変形が可能に形成している（図４（a）中、仮想線で示した１１ａ参照）。
【００３４】
また、商品収容部材１１は、上記図３に示すように、その正面部１１ａの上下方向における一端側に、袋体１２が接着される部位となる接着部１５を有している。上記袋体１２は、塩化ビニールシートを、袋体開口部１６を有した袋状に形成した部材である。上記袋体１２における袋体開口部１６を有した側とは反対側、すなわち、底側の端部１７を、商品収容部材１１の上記接着部１５に接着している。
【００３５】
この袋体１２は、上記商品収容部材１１の接着部１５に対して接着剤、両面テープなどを用いて接着させることができる。
【００３６】
上述したように、商品収容部材１１に対して接着された袋体１２は、折り畳んだ状態で、商品収容部材１１の正面部１１ａ上に収まるように具備している（上記図３参照）。  
具体的に、袋体１２は、袋状に展開した状態から幅方向について両端折りされた後、４つ折りにしてペット用糞採取具１０の正面部ａより１まわり小さい大きさになるよう折り畳まれている。
【００３７】
続いて、上記外装部材１３について説明する。外装部材１３は、商品収容部材１１と同様に肉厚一定の厚紙を折り曲げて形成している。また、外装部材１３は、筒状の形態に底面部１３ｃを有し、その上面側を開口させた略直方体の箱形に形成している（図１、及び、図２参照）。上記開口部１８における開口縁部１８ａについては、外装部材１３を接地させたとき、正面部１３ａと比較して背面部１３ｂの方が上下方向（高さ方向）について長くなるように、すなわち、右側面部１３ｅ、及び、左側面部１３ｄにおける開口端部１８ａが背面部１３ｂの側から正面部１３ａの側へ進むにつれ徐々に低く傾斜するよう切り欠いた形態で形成している。
【００３８】
外装部材１３の背面部１３ｂにおける、商品収容部材１１の上記糊付け片１１ｓと反対側となる右側面部１３ｅの近傍には、外装部材１３の糊付け片１３ｓが形成されている。
【００３９】
外装部材１３の底面部１３ｃには、その中央部に、商品収容部材１１の内部に収容した商品Ａを開口部１８を通じて外側へ押し出すことのできる押し出し用穴部２２を形成している（図２参照）。
【００４０】
また、上記外装部材１３には、該外装部材１３を観音開き状に適宜、展開可能に切断するためのミシン目２３（２３ａ、及び、２３ｂ）を形成している（図３参照）。  
具体的に、ミシン目２３は、主に２つのラインを構成している。１つ目のミシン目２３ａは、上記外装部材１３の正面部１３ａにおける幅方向の中間部位において、上端部から下部を除いた部位にかけて上下方向に形成している。さらに、２つ目のミシン目２３ｂは、１つ目のミシン目２３ａと略Ｔ字形に交差するよう正面部１３ａの下部において幅方向に形成し、さらに、左側面部１３ｄ、及び、右側面部１３ｅの下部にかけても連続的に形成している。
【００４１】
但し、１つ目のミシン目２３ａと２つ目のミシン目２３ｂとの交差部２３ｃは、Ｒを付した形状で形成し、該交差部２３ｃにおける角部を、滑らかに形成している。
【００４２】
上記外装部材１３の内部には、商品収容部材１１、及び、袋体１２の全体を収容することができ、商品収容部材１１の内部には、商品の少なくとも一部を収容することができる。
【００４３】
本実施例におけるペット用糞採取具１０は、上述したように構成するも、商品の包装として用いる際に以下に示すような作用、効果を奏することができる。
【００４４】
ペット用糞採取具１０は、上述したように糞採取具として用いる以外にも、例えば、ペットフードをはじめとするペット用の商品Aの包装として用いることができる。  
すなわち、図１に示したように外観上、箱形に形成したペット用糞採取具１０は、その内部に、パッケージングされたペットフードなどの商品Ａを収容することができる。商品Aは、ペット用糞採取具１０に収容された形態で、例えば、商品の陳列棚に陳列して販売することができる。
【００４５】
また、ペット用糞採取具１０は、袋体１２と商品Ａとを商品収容部材１１の正面部１１ａにより区分けした状態で収容できる。
【００４６】
これにより、商品収容空間２５には、袋体１２が存在しないため、商品収容空間２５への商品Ａの差し込みが袋体１２によって阻害されたり、袋体１２が圧迫されて破損したりしてしまうといったことがなく、スムーズに商品Ａを商品収容空間２５へ差し込むことができる。
【００４７】
また、商品収容部材１１の糊付け片１１ｓ、及び、外装部材１３の糊付け片１３ｓは、それぞれ、商品収容部材１１の背面部１１ｂ、外装部材１３の背面部１３ｂに備えられ、これら背面図１１ｂ，１３ｂには、袋体１２が存在していない。
【００４８】
このため、商品収容部材１１を外装部材１３に収納する際に、糊付け片１１ｓ、或いは、糊付け片１３ｓに袋体１２が引っ掛かることがない。  
また、商品収容部材１１を外装部材１３に収納したとき、互いに対向する背面部11d、及び、背面部13dに対して左右各側に糊付け片１１ｓ、或いは、糊付け片１３ｓは、配設されることになる。
【００４９】
このため、外装部材１３内部の商品収容部材１１は、左右各側の糊付け片１１ｓ、或いは、糊付け片１３ｓに均等に接触し、商品収容部材１１を外装部材１３に対して良好なバランスを確保した状態で収容することができる。
【００５０】
さらに、ペット用糞採取具１０は、商品Ａを、外装部材１３の底面部１３ｃに達するまで商品収容空間２５に差し込むことができ、差し込まれた商品Ａは、商品収容部材１１の商品Ａと対向する上記各側面部１１ａ，１１ｂ，１３ｃ，１１ｄ，１１ｅにおける内側面と接触するため、ペット用糞採取具１０は、商品Ａを商品収容空間２５から容易に抜け出さないようしっかりと保持することができる。
【００５１】
また、折り畳まれた袋体１２と一体にして、上記商品収容部材１１を外装部材１３に差し込む手順については、まず、商品収容部材１１の正面部１１ａにおける幅方向の中央部を、折り畳んだ袋体１２の上から指で軽く押さえ、その押圧力により、商品収容部材１１の正面部ａを内部に向けて弓状にたわみ変形させる。
【００５２】
商品収容部材１１の正面部１１ａを上述したようにたわみ変形させた状態であれば、該商品収容部材１１を袋体１２ごと外装部材１３内に容易に、且つ、スムーズに差し込むことができる。
【００５３】
すなわち、上述したように差し込むことで、商品収容部材１１を外装部材１３とにおける対向する各正面部１１ａ，１３ａの間の隙間を広げた状態で差し込むことができ、外装部材１３の端部に折り畳んだ状態の袋体１２の端部が当接して袋体１２が破損したりしてしまうといった事態が生じることがない。
【００５４】
さらにまた、ペット用糞採取具１０は、開口部１８の開口縁部１８ａを、上述したように傾斜させた形態により形成している。すなわち、上記外装部材１３の正面部１３ａは、商品Ａをペット用糞採取具１０に収容したとき、該正面部１３ａの上端部が、商品Ａの上下方向における略中間部に相当する高さに位置するよう形成している。
【００５５】
これにより、ペット用糞採取具１０に収容された状態の商品Ａを正面視したとき、商品Ａのパッケージ表面にプリント表示されている商品名、広告などの表示を、商品収容部材１１の正面部１１ａは勿論、外装部材１３の正面部１３ａが隠蔽してしまうことなく第３者に視認させることができる。  
よって、商品販売の際に、ペット用糞採取具１０に収容した状態で、商品Ａを、そのまま陳列させて販売することができる。
【００５６】
これに対して、上記外装部材１３の背面部１３ｂは、正面部１３ａよりも高くなるように形成しているため、ペット用糞採取具１０に収容された商品Ａを安定して保持することができる。
【００５７】
上述したように本ペット用糞採取具１０は、上述したように様々な効果を奏することができ、商品Ａの包装として用いるのに最適であるといえる。
【００５８】
次に、上記ペット用糞採取具１０をペット用の糞採取具として用いる場合の利用方法について説明する。
【００５９】
ペット用糞採取具１０は、上述したように、商品Ａの包装として商品Ａと一体で販売されるため、商品Ａ（以下、ペットフードＡという）を購入すれば、ペットフードＡを一緒に購入することができる。
【００６０】
飼主は、ペットフードＡとペット用糞採取具１０とを互いに分離して、そのペットフードＡをペットに与えた後も、ペット用糞採取具１０を、廃棄せずに一時、保管しておく。
【００６１】
ちなみに、ペットフードＡをペット用糞採取具１０から取り出す際には、飼主は、外装部材１３の底面部１３ｃに形成した上述した押し出し穴部２２に指などを差し込むことでペットフードＡを開口部１８から外部へ容易に押し出すことができる。
【００６２】
そして、ペット用糞採取具１０を用いて糞を採取する際には、飼主は、まず、袋体１２を具備した商品収容部材１１を外装部材１３から引き出して分離する。さらに、飼主は、商品収容部材１１に具備する袋体１２を上記図５の斜視図に示すように、４つ折に折り畳まれた状態から直線状に延ばし、その状態から観音開きすることで、袋状に展開することができる（図５中の一点鎖線参照）。
【００６３】
そして、飼主は、外装部材１３をミシン目２３に沿って切断していく。  
このとき、１つ目のミシン目２３ａと２つ目のミシン目２３ｂとの交差部２３ｃがＲ形状に形成されているため、飼主は、交差部２３ｃにおいてもミシン目２３ａ，２３ｂに沿って外装部材１３を容易に、且つ、見栄えよく切断することができる。
【００６４】
飼主は、外装部材１３をミシン目２３ａ，２３ｂに沿って、切断することで、図６の斜視図に示すように、切断により形成した左右の展開片１３ｆ，１３ｇを、左右へフラップ状にそれぞれ展開することができる。
【００６５】
このとき、外装部材１３の正面部１３ａ、右側面部１３ｅ、及び、左側面部１３ｄにおける下部については、展開されずに元の立体形状を維持することになるため、外装部材１３は、中央縦断面視したとき、略Ｌ字形を構成することができる。
【００６６】
上述した形態に変形したペット用糞採取具１０を用いて、糞採取を行うに際しては、飼主は、まず、展開した袋体１２に対して袋体開口部１６を通じて手を差し込む。そして、図７に示すように商品収容部材１１の袋体１２を接着した端部側を、袋体１２を介した状態で把持する。
【００６７】
ここで、商品収容部材１１は、その４つの角部１４…を屈曲変形可能に形成しているため、把持したときの把持力により、平面状に倒伏させることができる。
【００６８】
さらに、飼主は、もう一方の手で外装部材１３の下部側の端部を把持する。
【００６９】
以上により、飼主は、外装部材１３をスコップのように用いて、糞Ｂを商品収容部材１１の側に寄せることができる。そして、商品収容部材１１を、塵取りのように用いて、糞Ｂを採取することができる。
【００７０】
飼主は、図８（ａ）に示したように、商品収容部材１１上に糞Ｂを採取した後、適宜、その上から外装部材１３を覆い被せ、そして、商品収容部材１１を把持したまま袋体１２から手を抜く。このとき、飼主は、使用後の商品収容部材１１、外装部材１３、及び、糞Ｂと一緒に、袋体１２を表裏反転させる。これにより、袋体１２内に、糞Ｂとともに、使用後の商品収容部材１１、及び、外装部材１３を収容することができる。さらに、図８（ｂ）に示したように袋体１２の袋体開口部１６を封止すれば、袋体１２の外へ悪臭が漏れてしまうことを防止することができる。
【００７１】
本実施例におけるペット用糞採取具１０は、上述した手順により糞Ｂを採取することができ、以下のような特有の効果を奏することができる。
【００７２】
ペット用糞採取具１０は、商品収容部材１１と外装部材１３とを、それぞれ、スコップ（、ほうき、或いは、ヘラ）と、塵取りのようにして用いることができるため、糞Ｂの採取を容易に行うことができる。
【００７３】
しかも、飼主は、一方の手を、断面視Ｌ字形をした外装部材１３の下部を把持しているため、糞が手に接触してしまうおそれがない。
【００７４】
さらに、飼主は、袋体１２に他方の手を差し込んだ状態で商品収容部材１１を把持し、糞を採取した後は、そのまま袋体１２を表裏反転させるだけで、袋体１２内に糞Ｂなどを封入することができる。  
従って、飼主は、容易に、且つ、不快感を伴うことなく糞を採取できる。
【００７５】
その他にも、ペット用糞採取具１０を用いることにより、商品収容部材１１は、上述したように平面状に倒伏させたとき、正面部１１ａと背面部１１ｂとが互いに重合する２層構造となるため、１層構造の場合と比較して強度を向上させることができるため、安心して糞の採取を行うことができる。
【００７６】
また、外装部材１３は、断面視Ｌ字形をした各端部に指を沿えて把持することができるため、把持し易く、また、立体形状を留めた形態をしているため、糞を、しっかりと掻き寄せるために必要な強度を確保することができる。
【００７７】
このように、ペット用糞採取具１０は、糞採取具として、及び、商品の包装として使用可能に形成しているため、以下のような様々な効果を奏することができる。  
本実施例におけるペット用糞採取具１０は、商品Ａの包装として、或いは、糞Ｂの採取具としても用いることが可能にできるため、従来の商品の包装のように商品購入後に、塵として廃棄されることや、従来の使い捨ての糞採取具のように、糞採取のためだけに購入する必要がない。
【００７８】
このため、本実施例におけるペット用糞採取具１０を用いることにより、飼主は、ペットの散歩を日々、欠かさずに行う必要があるが、その度に使い捨ての糞採取具を用意する必要がないため、長期的にみればコスト、資源を大幅に削除することができる。
【００７９】
さらに、ペット用糞採取具１０は、商品の包装として使用可能に形成することにより、商品を購入すれば、必然的に商品に付随してくるものである。よって、ペット用糞採取具１０は、従来の糞採取具と同様に使い捨てが可能な消耗品であるが、従来のように糞採取具を単独で購入して保管しておく必要がないため、買い忘れてしまうことや、保管するためのスペース、手間を省くことができる。
【００８０】
しかも、商品がペットフードである場合、そのペットフードの包装として用いられていた本実施例の糞採取具を使い捨ての糞採取具として用いることができるため、特に有効である。すなわち、本実施例の糞採取具は、余ったり、不足したりしてしまうことがなく、ペットが、そのペットフードを食べたことにより、排便した糞を確実に採取することができる。
【００８１】
また、例えば、旅行に行く場合、ペットフードをペット用糞採取具１０とをセットで持ち運べるため、荷物を小さくまとめることができる。
【００８２】
本実施例におけるペット用糞採取具１０は、上述したように、様々な効果を奏することができるが、上述した利用方法に限定せず、その他にも様々な利用方法により用いることができる。
【００８３】
具体的に、本実施例におけるペット用糞採取具１０は、上述した手順により糞を採取するに限らない。例えば、ペットが排便する際において、糞Ｂが落下してくる部位に、展開した商品収容部材１１或いは、外装部材１３を敷いて落下してくる糞を、直接、受けて採取してもよい。
【００８４】
或いは、ペット用糞採取具１０は、商品収容部材１１と外装部材１３とを、上述とは逆に、それぞれ、スコップ（ほうき、或いは、ヘラ）と、塵取りのようにして用いて、糞Ｂを採取してもよい。
【００８５】
また、ペット用糞採取具は、上記実施形態に限らず、その他にも様々な実施形態により形成することができる。
【００８６】
例えば、商品がアルミ缶などに密封された缶詰タイプのペットフード（以下ペット用缶詰Ｃという）である場合、図９（ａ），（ｂ）に示したように、本実施例におけるペット用糞採取具２０は、ペット用缶詰Ｃを収容可能な大きさで商品収容空間２５を内部に形成するとともに、缶の出し入れが可能な開口部３５を有して形成している。
【００８７】
ペット用糞採取具２０は、上述したペット用糞採取具１０と同様に商品収容部材３１、袋体３２、外装部材３３を具備して形成し、それぞれペット用缶詰Ｃの大きさ、円柱状形態に対応する大きさ、及び、形態で形成している。
【００８８】
すなわち、ペット用糞採取具２０は、上記形態であっても、折り畳んだ状態の袋体３２を商品収容部材３１と外装部材３３との各正面部３１ａ，３３ａの間に収容でき、袋体３２とペット用缶詰Ｃとを区分けして収容することができる。
【００８９】
勿論、ペット用糞採取具２０は、ペット用缶詰Ｃを取り出した後は、ペット用の糞採取具として上述したペット用糞採取具１０の場合と同様の手順により用いることができる。
【００９０】
その他にも、ペット用糞採取具１０は、ペット用フード以外のペット用品をはじめとする商品をも適用対象とし、例えば、使い捨ての子供用おむつ、ジュース、或いは、タバコなどの商品を挙げることができる。
【００９１】
ペット用糞採取具をジュースやタバコの包装として適用する場合、ペットが集合する空き地などに、ペット用糞採取具によって包装されたジュースやタバコを販売する自動販売機を設置しておけば、ペットが糞などをした場合であっても、ペット用糞採取具を用いて容易に糞を採取することができる。
【００９２】
さらに、他の実施形態として、ペット用糞採取具は、例えば、袋体１２は、上述したように商品収容部材１１側に取り付ける形態に限らず、外装部材１３の側に、或いは、商品収容部材１１と外装部材１３との両方の側に取り付けた形態であってもよい。  
ちなみに、袋体１２を商品収容部材１１、又は／及び、外装部材１３のいずれの側に取り付けた場合であっても、商品の包装として用いる際には、外装部材１３の内部において商品と袋体１２とは、商品収容部材１１を介在させた状態で区分けすることができるため、上述と同様の効果を奏することができる。
【００９３】
ペット用糞採取具は、商品収容部材１１の形態と外装部材１３との形態を互いに逆にして形成してもよい。すなわち、商品収容部材１１を上述した外装部材１３のような箱形に形成するとともに、外装部材１３を上述した商品収容部材１１のような筒状に形成し、商品収容部材１１を、外装部材１３が収容可能に該外装部材１３よりも１まわり大きく形成してもよい。
【００９４】
また、ペット用糞採取具は、その表面に直接、商品の広告などの表示を形成してもよく、開口部の口縁部、或いは、その近傍に開口部を閉塞可能な蓋部を具備することもできる。
【００９５】
さらに、商品収容部材１１、及び、外装部材１３は、円筒状に形成するなど、その形態は、特に限定しない。
【００９６】
上述の実施形態と、この発明の構成との対応において、この実施形態の厚紙は、この発明の変形可能材料に対応し、以下同様に、
４つの角部は、４ツ角部分に対応し、
商品収容部材１１の正面部１１ａ、及び、外装部材１３の正面部１３ａは、商品収容部材と外装部材とが対向する各対向面に対応するも、
この発明は、上述の実施形態の構成のみに限定されるものではなく、上述したように多くの実施の形態を得ることができる。
【図面の簡単な説明】
【００９７】
【図１】本実施例におけるペット用糞採取具の使用状態の一例を示す外観図。
【図２】図１に示したペット用糞採取具の中央縦断面図。
【図３】本実施例におけるペット用糞採取具の各構成部材を示す外観図。
【図４】本実施例における商品収容部材、及び、袋体を一方の側から視た説明図（ａ），本実施例における商品収容部材を袋体の側へ倒伏させた様子を示す説明図（ｂ）。
【図５】本実施例における商品収容部材、及び、袋体を示す外観図。
【図６】本実施例における外装部材の展開状態を示す外観図。
【図７】本実施例におけるペット用糞採取具の使用状態の他の一例を断面で示した説明図。
【図８】本実施例におけるペット用糞採取具を用いた糞採取過程を示す説明図（ａ），糞採取後の様子を示す外観図（ｂ）。
【図９】他の実施例における他のペット用糞採取具の外観図（ａ），図９（ａ）におけるペット用糞採取具の中央縦断面図（ｂ）。
【符号の説明】
【００９８】
１０，２０…ペット用糞採取具
１１，３１…商品収容部材
１２，３２…袋体
１３，３３…外装部材
１３ｃ，２３ｃ…外装部材の底面部
１４…４つの角部
２３…ミシン目
【図１】
2007159407.tif 000003
【図２】
2007159407.tif 000004
【図３】
2007159407.tif 000005
【図４】
2007159407.tif 000006
【図５】
2007159407.tif 000007
【図６】
2007159407.tif 000008
【図７】
2007159407.tif 000009
【図８】
2007159407.tif 000010
【図９】
2007159407.tif 000011